(57)【特許請求の範囲】
【請求項１】
浮力体が内装され装着者の上半身に装着されるジャケット本体と、前記ジャケット本体の下部に連設され前記装着者の下半身に装着される下半身保持部と、前記ジャケット本体の胸部乃至肩部に配設固定され救助用のロープと着脱自在に連結される左右２箇所の上部連結具と、前記下半身保持部の前面側に配設固定され救助用のロープと着脱自在に連結される左右２箇所の下部連結具と、を備えていることを特徴とする救命具。
【請求項２】
前記下半身保持部の下端側に延設された左右２箇所の延設部と、前記延設部の各々の下端部に配設された差込具と、前記ジャケット本体の前面側の左右２箇所に配設され前記差込具が着脱自在に連結される差込口と、を備えていることを特徴とする請求項１に記載の救命具。
【請求項３】
前記上部連結具と前記差込具を連結し前記ジャケット本体及び前記延設部に縫着された補強帯を備えていることを特徴とする請求項２に記載の救命具。
【請求項４】
前記下部連結具が、前記延設部の高さ方向に位置調整自在に配設されていることを特徴とする請求項２又は３に記載の救命具。
【請求項５】
前記下半身保持部が、前記装着者の脚が挿通される脚部挿通部を備えていることを特徴とする請求項１乃至４の内いずれか１項に記載の救命具。
【請求項６】
前記ジャケット本体の襟部に沿って上方に延設され前記装着者の両側頭部及び後頭部を囲繞する頭部保護部を備えていることを特徴とする請求項１乃至５の内いずれか１項に記載の救命具。
【発明の詳細な説明】
【技術分野】
【０００１】
本発明は、津波、高潮、豪雨被災等による堤防の決壊等が発生した際に、ヘリコプター等から吊り下げられたロープや周辺から投げ込まれたロープ等に簡単かつ確実に連結して装着者を安定した姿勢で吊上げることができ、吊上げ時の装着者の負担を大幅に低減して、装着者の落下を確実に防止することができると共に、漂流中の装着者の身体を固定し、漂流物による頭部への衝撃を軽減できる安全性に優れた救命具に関する。
【背景技術】
【０００２】
従来、川や海等で船やボート等の乗り物に乗る人や魚釣り等をする人は、川や海等に落下した際に、身体が水に浮くように、浮力体を備えたライフジャケットや救命胴衣を着用している。
例えば、（特許文献１）には、ライフジャケット本体を構成する後身頃、左前身頃及び右前身頃に浮力体が内装されたライフジャケットにおいて、左前身頃と右前身頃の少なくとも一方の表地に、物品を収納可能な前ポケット部が、その上端縁を接合して起伏自在に設置されて構成されたことを特徴とするライフジャケットが開示されている。
また、（特許文献２）には、海上レジャーで使用される救命胴衣，釣り用ベスト，ジャケットに安全帯を添設し、その安全帯に繋留ロープを連結した救命胴衣付安全帯が開示されている。
さらに、（特許文献３）には、ライフジャケット本体の外面若しくは内面に沿って使用者の体に回らせる吊上げ用ベルトを固着し、該ベルトの所定部分にフックの掛止部を設けたライフジャケットが開示されている。
【先行技術文献】
【特許文献】
【０００３】
【特許文献１】特開２０１３−７１４７５号公報
【特許文献２】実用新案登録第３０６２６４６号公報
【特許文献３】実開昭６２−２０００９５号公報
【発明の開示】
【発明が解決しようとする課題】
【０００４】
しかし、上記従来の技術では、以下のような課題を有していた。
（１）（特許文献１）のライフジャケットは、水難時に前ポケット部を上端縁を中心にして水面に浮上させることにより、前ポケット部内の収納物品の取出しを容易にしようとするものであり、ライフジャケットの装着者（被災者）をヘリコプター等で吊上げて救助するための工夫については検討されていない。
（２）また、（特許文献１）には、ライフジャケット本体同士を連結する連結バンドについて記載されているが、これはライフジャケットを装着した複数の装着者が水面で離散することを防止するためのものであり、装着者が水で流されないように周囲の構造物等に繋ぎ止めることについては考慮されていない。
（３）（特許文献２）の救命胴衣付安全帯には繋留ロープが連結されているが、これは海上レジャー中の災害を防止することを目的としており、磯釣り時にアンカーを岩場の隙間に差し、そのアンカーにロープ先端に設けたフックを掛けることにより、波にさらわれることを未然に防いだり、ヨット等の船上で、船の回りに張設されたワイヤロープにフックを掛けることにより、船上からの転落を未然に防いだりするためのものであって、水害時に装着者の身体が流されないように安定した姿勢で繋ぎ止めることや装着者を吊上げたり、牽引したりして水上から安全に救助することについては考慮されていない。
（４）また、（特許文献２）の安全帯は装着者の胴回りに装着されているので、フックを周囲の構造物に引っ掛けて繋ぎ止めていても、装着者が海や川等に落下した場合や身体が水に流された場合の衝撃によって腹部が圧迫され易く、流れが激しい場合に、下流側に体がくの字になり呼吸が困難になったり、ベルト側の金具が背中側に回り込んだりして、装着者自身では体勢を復元することが不可能になることがあり、救助を待つ時間が長くなると、装着者の負担が大きくなり、安全性、信頼性に欠ける。
（５）（特許文献３）のライフジャケットは、水面に浮遊している遭難者を吊上げることを目的としたものであり、ライフジャケット本体の下端部に連結された座面シートとベルトを使用者（遭難者）の股下に通すことにより、引上げ中に吊上げ用ベルトが使用者の体から抜けて外れることを防止している。しかし、使用者の体の前面と背面を通る吊上げ用ベルトにより、使用者の体が挟まれており、前後のベルトの上端の折返し部分に救助ロープのフックを掛止する掛止リングが取付けられている。よって、吊上げ時に全ての荷重が掛止リングに加わり、変形や破損が発生し易く、耐久性に欠ける。また、座面シートで支持された使用者の股間部に体重の全てが集中し、前後のベルトで使用者の頭部、首、胸部が圧迫され、使用者の負担が増大し易く、使用者自身による装着性に欠けると共に、掛止リングが固定されていないため、吊上げ時に偏芯してさらに使用者の首や胸部が圧迫され易く、快適性に欠ける。
（６）また、使用者の体の中央上方（頭上）に配設される掛止リングによって吊上げられることにより、使用者が直立姿勢となり、体重が座面シートで支持されるため、空中での姿勢の維持やバランスを崩した際の修正が困難で、太腿や股間等の痛みを軽減することができず、特に子供や女性（妊婦）に対しての使用性に欠ける。
（７）さらに、使用者を吊上げるための掛止リングがライフジャケット本体の後襟部分に配設されているので、吊上げ時に掛止リングや救助ロープが使用者の後頭部と接触しないように、使用者が頭部を前傾させなければならず、姿勢が窮屈になり、使用者の負担が増大し、装着性に欠ける。掛止リングや救助ロープが使用者の後頭部と接触しない位置まで吊上げ用ベルトを上方に伸ばしたとしても、掛止リングに引張られた吊上げ用ベルトが使用者の体の中央に集まり、使用者の頭部に接触したり、首を圧迫したりするおそれがあり、使用性に欠ける。また、吊上げ用ベルトが長くなると、使用者の姿勢が不安定になり易くなると共に、吊上げ可能高さが低くなり、使用者が直立（立位）姿勢であるため、機体内の救助者が使用者の腕を引張ったり、上半身を抱き上げたりして収容しなければならず、収容の作業性、省力性に欠ける。
【０００５】
本発明は上記課題を解決するもので、救助用に投げ入れられたロープ等を簡単かつ確実に連結することができ、手早く短時間で装着者の救助を行うことが可能で、救助作業の迅速性、効率性に優れ、装着者を座位姿勢でへリコプター等で吊上げることができ、装着者の姿勢の安定性に優れ、装着者が吊上げロープを手で掴むことができ、恐さを感じ難く、装着者を足からでも機体内に収容することが可能で、装着者及び救助者の負担を大幅に軽減することができ、装着性、安全性、救助の作業性、省力性に優れると共に、安全帯等を利用してレジャー中の川や海等への落下を防ぐことや水害時に装着者（被災者）の身体が流されないように周囲の固定構造物に繋ぎ止めることもでき、頭部に働く浮力により頭部を確実に水面から突出させて装着者が水を飲むことを防止し、頭部を上流側に向けて安定した姿勢で救助を待つことができ、漂流物による頭部への衝撃を軽減することができる安全性、使用性に優れた救命具の提供を目的とする。
【課題を解決するための手段及びそれによって得られる作用、効果】
【０００６】
上記課題を解決するために本発明の救命具は、以下の構成を有している。
本発明の請求項１に記載の救命具は、浮力体が内装され装着者の上半身に装着されるジャケット本体と、前記ジャケット本体の下部に連設され前記装着者の下半身に装着される下半身保持部と、前記ジャケット本体の胸部乃至肩部に配設固定され救助用のロープと着脱自在に連結される左右２箇所の上部連結具と、前記下半身保持部の前面側に配設固定され救助用のロープと着脱自在に連結される左右２箇所の下部連結具と、を備えた構成を有している。
この構成により、以下のような作用、効果を有する。
（１）浮力体が内装され装着者の上半身に装着されるジャケット本体と、ジャケット本体の下部に連設され装着者の下半身に装着される下半身保持部と、ジャケット本体の胸部乃至肩部に配設固定され救助用のロープと着脱自在に連結される左右２箇所の上部連結具と、下半身保持部の前面側に配設固定され救助用のロープと着脱自在に連結される左右２箇所の下部連結具を備えていることにより、上部連結具及び下部連結具を介して救助用のロープ等をジャケット本体及び下半身保持部に簡単かつ確実に連結することができ、救助の作業性、迅速性、省力性に優れると共に、ヘリコプター等で装着者を吊上げて救助する際に、装着者の身体を４箇所で支持することができるので、装着者の姿勢を安定させることができ、ヘリコプターの機体内への装着者の収容が容易になり、安全性、装着性、使用性に優れ、装着者及び救助者の負担を大幅に軽減することができる。
（２）装着者の下半身に装着される下半身保持部が、ジャケット本体の下部に連設されているので、上部連結具や下部連結具に救助用のロープ等を連結して装着者の身体を牽引したり、吊上げたりした際に、ジャケット本体や下半身保持部が装着者の身体から脱げることがなく、確実に装着者を救助することができ、安全性、救命の信頼性に優れる。
（３）ジャケット本体の胸部乃至肩部に配設固定され救助用のロープと着脱自在に連結される左右２箇所の上部連結具を有することにより、上部連結具を介して救助用のロープ等をジャケット本体に簡単かつ確実に連結することができると共に、陸上や船上等から装着者を引上げたり、ヘリコプター等で装着者を吊上げたりする際に、水上で胸部が上向きになるように装着者の姿勢を保持することができ、身体の傾きが発生し難く、姿勢を安定化させて装着者の顔が水に漬かることを防止でき、装着者への負担が少なく、救命の信頼性、安全性に優れる。
（４）ジャケット本体の胸部乃至肩部に配設固定され救助用のロープと着脱自在に連結される左右２箇所の上部連結具と、下半身保持部の前面側に配設固定され救助用のロープと着脱自在に連結される左右２箇所の下部連結具を有するので、上部連結具及び下部連結具に救助用のロープ等を連結して装着者の身体を吊上げた時に、装着者の背中や臀部をジャケット本体及び下半身保持部で確実に支持することができ、装着者への負担が少なく、下部連結具に連結された救助用のロープ等を装着者が手で掴むことができ、吊上げ時に揺りかごのように安心感があり、救助作業の効率性、安全性に優れる。
（５）上部連結具がジャケット本体の胸部乃至肩部に配設固定され、下部連結具が下半身保持部の前面側に配設固定されることにより、自衛隊員等の救助者が装着作業を手伝ったり、使用方法を説明したりしなくても、装着者が一人で簡単に救助用のロープ等を連結することができるので、救助者は救助用のロープ等を投げ込んだり、上空から垂らしたりするだけで、救助活動を行うことができ、少ない人員で多数の遭難者を救助することが可能となり、特にヘリコプター等で救助を行う場合には、救助者の人数を減らして、一度に多くの遭難者を救助することができ、救助作業の省力性、効率性、迅速性に優れる。
（６）ジャケット本体の胸部乃至肩部に配設固定され救助用のロープと着脱自在に連結される上部連結具や下半身保持部の前面側に配設固定され救助用のロープと着脱自在に連結される下部連結具を備えているので、必要に応じて安全帯等を連結することができ、レジャー中に安全帯のフックを周囲の柵、手摺、柱等に繋ぎ止めておくことにより、川や海等への落下を防ぐことができるだけでなく、水害時に逃げ遅れた場合などに浸水によって身体が流されないようにフックを周囲の電柱や大木等に繋ぎ止めて救助を待つことができ、救助の確実性、安全性に優れる。
（７）上部連結具がジャケット本体の胸部乃至肩部に配設固定されているので、上部連結具に連結した安全帯のフックを周囲の構造物に繋ぎ止めていた装着者が、川や海等へ落下したり、水に流されたりして安全帯の紐体が引張られた場合でも、装着者の身体を圧迫することがなく、救助を待つ間の装着者の負担を軽減することができ、安全性、使用性に優れる。
【０００７】
ここで、ジャケット本体は従来のライフジャケットや救命胴衣と同様にポリアミド、ポリエステル等の生地で形成され、前身頃及び後身頃に発泡ポリエチレン、発泡スチロール等の浮力体が内装されたものが好適に用いられる。また、前身頃は左前身頃と右前身頃に分割され、ファスナーなどの止着部材により開閉自在に止着されるものが装着性に優れ、好ましい。ジャケット本体の左右両側の上部に設けられた開口部に装着者の左右の腕を挿通して装着することができる。
尚、ジャケット本体の要所には必要に応じて反射材、蛍光テープ、蓄光テープ等を貼付けてもよい。海上での捜索や夜間の捜索、救助活動に役立ち、機能性に優れる。また、装着者が自分の位置を知らせるための笛や点滅ライト、発煙筒等を取付けてもよい。
【０００８】
上部連結具及び下部連結具は装着者を救助するためのロープ等の端部に形成又は配設された環状部或いは端部に配設されたフック等の連結部材や安全帯の連結部等と着脱自在に連結できるものであればよく、その形状は連結相手の形状に応じて、環状やフック状等に形成することができる。尚、開閉機構を有するものは連結相手の形状に関わらず容易に着脱することができ、汎用性、着脱作業性に優れると共に、連結後の固定安定性に優れ、好ましい。
上部連結具及び下部連結具の他に、必要に応じて、ジャケット本体の所望の位置に安全帯等を連結するための連結具を取付けることができる。
安全帯は紐体の一端側に配設された連結部を上部連結具やその他の連結具に着脱自在に連結し、紐体の他端側に配設されたフックを利用して周囲の固定構造物に装着者の身体を繋ぎ止めることができる。特に、上部連結具に連結した安全帯で装着者の身体を固定構造物に繋ぎ止めた場合、装着者の頭部が常に上流側となり、装着者が溺れることを効果的に防ぐことができる。紐体の材質や長さ等は適宜、選択することができ、その形状はロープ状でも帯状でもよい。尚、不使用時に紐体が邪魔にならないように紐体を巻取って収納する巻取り部を備えるものが好適に用いられる。また、ヘリコプター等にフック付きの吊上げロープ等が装備されていない場合、左右の上部連結具と下部連結具の間にそれぞれ安全帯を連結する等して吊上げに利用することもできる。
下半身保持部は装着者の下半身に装着されるが、装着者の臀部や太腿部を包み込むように装着されるものが好適に用いられる。特に装着者の左右の脚がそれぞれ挿通される脚部挿通部を有するものは、装着性及び下半身保持の安定性に優れ好ましい。
【０００９】
請求項２に記載の発明は、請求項１に記載の救命具であって、前記下半身保持部の下端側に延設された左右２箇所の延設部と、前記延設部の各々の下端部に配設された差込具と、前記ジャケット本体の前面側の左右２箇所に配設され前記差込具が着脱自在に連結される差込口と、を備えた構成を有している。
この構成により、請求項１の作用、効果に加え、以下のような作用、効果を有する。
（１）下半身保持部の下端側に延設された左右２箇所の延設部と、延設部の各々の下端部に配設された差込具と、ジャケット本体の前面側の左右２箇所に配設され差込具が着脱自在に連結される差込口を備えているので、延設部を装着者の身体の前面側に折返し、各々の差込具を差込口に差込んで連結することができ、ジャケット本体と延設部で装着者の上半身を前後から挟み込むように保持して、下半身保持部で装着者の下半身を支持することができ、ジャケット本体や下半身保持部が装着者の身体から脱げることを確実に防止することができ、安全性、救助の確実性に優れる。
（２）延設部の下端部に配設された差込具をジャケット本体の前面側の差込口に差込んで連結することにより、下半身保持部で装着者の下半身を確実に支持できると共に、左右の上部連結具及び下部連結具の４点に体重を分散させて装着者を安全に吊上げることができるので、装着者の体重が重い場合や装着者が妊娠している場合に、負担を大幅に軽減することができ、安全性、機能性に優れる。
【００１０】
ここで、延設部の長さはジャケット本体の寸法や差込口の位置に応じて、適宜、選択することができる。差込具と差込口は着脱自在に連結できるものであればよいが、シートベルト等の差込具及び差込口と同様に形成されたものが好適に用いられる。特に、差込口が下向きになるように配置することにより、延設部の差込具をスムーズに差込口に差込むことができ、装着作業性に優れると共に、差込口や装着者に不必要な負荷が加わることがなく、取扱い性に優れる。
【００１１】
請求項３に記載の発明は、請求項１又は２に記載の救命具であって、前記上部連結具と前記差込具を連結し前記ジャケット本体及び前記延設部に縫着された補強帯を備えた構成を有している。
この構成により、請求項１又は２の作用、効果に加え、以下のような作用、効果を有する。
（１）上部連結具と差込具を連結しジャケット本体及び延設部に縫着された補強帯を備えることにより、補強帯でジャケット本体及び延設部を補強することができ、耐久性、長寿命性に優れる。
（２）上部連結具と差込具が補強帯で連結されていることにより、補強帯をジャケット本体及び延設部に縫着するだけで上部連結具と差込具を容易に取付けることができ、量産性に優れる。
【００１２】
請求項４に記載の発明は、請求項２又は３に記載の救命具であって、前記下部連結具が、前記延設部の高さ方向に位置調整自在に配設された構成を有している。
この構成により、請求項２又は３の作用、効果に加え、以下のような作用、効果を有する。
（１）下部連結具が、延設部の高さ方向に位置調整自在に配設されることにより、装着者の体型等に応じて下部連結具の位置を調整することができ、上部連結具及び下部連結具に救助用のロープ等を連結して装着者の身体を吊上げる際に、装着者を楽な姿勢で吊上げ、装着者の負担を軽減することができ、汎用性、使用性に優れる。
【００１３】
下部連結具は延設部の高さ方向に位置調整自在に取付けられていればよいが、延設部の高さ方向に沿って摺動させて位置調整できるものが好適に用いられる。特に、上部連結具と差込具が補強帯で連結されている場合、下部連結具を補強帯に沿って摺動自在に配設することにより、位置調整が容易で、取扱い性に優れる。また、上部連結具と差込具を連結する補強帯に下部連結具を取付けた場合、吊上げ時に上部連結具及び下部連結具に加わる荷重を補強帯全体で支持することができ、耐久性、支持安定性に優れる。
尚、延設部の高さ方向に複数の下部連結具を取付けておき、適宜、選択して使用することもできる。
【００１４】
請求項５に記載の発明は、請求項１乃至４の内いずれか１項に記載の救命具であって、前記下半身保持部が、前記装着者の脚が挿通される脚部挿通部を備えた構成を有している。
この構成により、請求項１乃至４の内いずれか１項の作用、効果に加え、以下のような作用、効果を有する。
（１）下半身保持部が、装着者の脚が挿通される脚部挿通部を有することにより、上部連結具及び下部連結具に連結された救助用のロープ等で装着者の身体を牽引したり、吊上げたりした際に、ジャケット本体及び下半身保持部が装着者の身体から脱げることを確実に防止することができ、安全性、救助の確実性、信頼性に優れる。
【００１５】
ここで、脚部挿通部は装着者の左右の脚がそれぞれ独立して挿通されるものが好適に用いられる。装着者の左右の脚がそれぞれ独立して脚部挿通部に挿通されることにより、装着者の臀部や太腿部を下半身保持部で確実に保持することができ、装着時の安定性、下半身の支持安定性に優れ、装着者の負担を軽減できるためである。
【００１６】
請求項６に記載の発明は、請求項１乃至５の内いずれか１項に記載の救命具であって、前記ジャケット本体の襟部に沿って上方に延設され前記装着者の両側頭部及び後頭部を囲繞する頭部保護部を備えた構成を有している。
この構成により、請求項１乃至５の内いずれか１項の作用、効果に加え、以下のような作用、効果を有する。
（１）ジャケット本体の襟部に沿って上方に延設され装着者の両側頭部及び後頭部を囲繞する頭部保護部を有することにより、装着者が陸地や船上等から海や川等に落下した際や漂流中に周囲の障害物や漂流物と接触したり、衝突したりした際に受ける衝撃から装着者の頭部を保護することができ、安全性、救命の信頼性に優れる。
（２）装着者の両側頭部及び後頭部を囲繞する頭部保護部がジャケット本体の襟部に沿って上方に延設されているので、避難時や遭難時に装着者の視界を遮ることがなく、装着者が漂流物により意識を失っても水面に頭部が沈むことなく呼吸の確保が可能で安全に行動することができ、使用性に優れる。
【００１７】
ここで、頭部保護部は装着者の両側頭部及び後頭部を囲繞することができればよく、その形状や大きさは適宜、選択することができる。外部からの衝撃から装着者の頭部を保護できるだけのクッション性、衝撃吸収性を備えていればよく、発泡ウレタン、ＥＶＡ樹脂発泡体等を内装したものが好適に用いられる。特に、単独（独立）気泡を有する材質を用いた場合、頭部保護部に水浮揚性を与えることができるので、漂流中に装着者の頭部が水中に沈むことを防止して呼吸を確保することができ、救命の信頼性に優れる。
【図面の簡単な説明】
【００１８】
【図１】実施の形態１の救命具を示す正面側模式斜視図
【図２】実施の形態１の救命具を示す背面側模式斜視図
【図３】実施の形態１の救命具の使用状態を示す模式斜視図
【図４】実施の形態１の救命具の使用状態を示す模式側面図
【発明を実施するための形態】
【００１９】
本発明の救命具について、以下図面を参照しながら説明する。なお、本発明は以下に説明する実施の形態に限定されるものではない。
（実施の形態１）
図１は実施の形態１の救命具を示す正面側模式斜視図であり、図２は実施の形態１の救命具を示す背面側模式斜視図である。
図１中、１は実施の形態１の救命具、２はポリアミド、ポリエステル等で形成された生地に発泡ポリエチレン、発泡スチロール等の浮力体が内装され装着者の上半身に装着される救命具１のジャケット本体、３ａはジャケット本体２の左前身頃、３ｂはジャケット本体２の右前身頃、４はジャケット本体２の後身頃、５はジャケット本体２の左前身頃３ａと右前身頃３ｂを開閉自在に止着するファスナーなどの止着部材、６ａ，６ｂはジャケット本体２の胸部乃至肩部に配設固定された左右２箇所の上部連結具、７はジャケット本体２の後身頃４の下部に連設され装着者の下半身に装着される救命具１の下半身保持部、７ａ，７ｂは下半身保持部７に形成され装着者の左右の脚がそれぞれ挿通される脚部挿通部、８ａ，８ｂは下半身保持部７の下端側に延設された左右２箇所の延設部、９ａ，９ｂは延設部８ａ，８ｂの各々の下端部に配設された差込具、１０ａ，１０ｂはジャケット本体２の前面側の左右２箇所に配設され差込具９ａ，９ｂが着脱自在に連結される差込口、１１はジャケット本体２の襟部に沿って上方に延設され装着者の両側頭部及び後頭部を囲繞する頭部保護部、１２は頭部保護部１１の左右両側に配設された固定紐、１３は頭部保護部１１の両外側部等に貼着された反射材である。
【００２０】
図２中、１４ａ，１４ｂは上部連結具６ａ，６ｂと差込具９ａ，９ｂをそれぞれ連結しジャケット本体２の後身頃４及び延設部８ａ，８ｂの背面に縫着された補強帯、１５ａ，１５ｂは延設部８ａ，８ｂの下端部で補強帯１４ａ，１４ｂを折り返し、先端部を延設部８ａ，８ｂの上端側に縫着した補強帯１４ａ，１４ｂの折返し部、１６ａ，１６ｂは補強帯１４ａ，１４ｂの折返し部１５ａ，１５ｂに挿通され延設部８ａ，８ｂの高さ方向に位置調整自在に配設された左右２箇所の下部連結具、１７ａ，１７ｂは補強帯１４ａ，１４ｂの折返し部１５ａ，１５ｂに摺動自在に保持され下部連結具１６ａ，１６ｂを所定の位置に保持する高さ調整具である。
【００２１】
以上のように構成された実施の形態１の救命具の使用方法について説明する。
図３は実施の形態１の救命具の使用状態を示す模式斜視図であり、図４は実施の形態１の救命具の使用状態を示す模式側面図である。
図３中、２０は救命具１の装着者、２１は装着者２０の頭部、２２ａ，２２ｂは装着者２０の左右の腕、２３ａ，２３ｂは装着者２０の左右の脚、３１は救助用のロープ、３２はロープ３１の先端に配設された吊上げフック、３２ａは吊上げフック３２に連結された吊上げ環、３４ａ，３４ｂは吊上げ環３２ａの孔部より大きく形成され吊上げ環３２ａに挿通された吊上げロープ３３の両端に配設されて救命具１の左右の上部連結具６ａ，６ｂに連結された連結フック、３５は吊上げ環３２ａに挿通され両端に配設された連結フック３６ａ，３６ｂで救命具１の左右の下部連結具１６ａ，１６ｂに連結された吊上げロープである。
図４中、２４は救命具１の装着者２０の手である。
【００２２】
図１及び図２において、装着者２０は延設部８ａ，８ｂを前にして下半身保持部７の脚部挿通部７ａ，７ｂに左右の脚２３ａ，２３ｂを挿通した後、ジャケット本体２に左右の腕を２２ａ，２２ｂを通し、止着部材５で左前身頃３ａと右前身頃３ｂを止着する。
次に、延設部８ａ，８ｂを装着者２０の身体の前面側に折返し、各々の差込具９ａ，９ｂを差込口に差込んで連結することにより、救命具１の装着が完了する。
頭部保護部１１は装着者２０の両側頭部及び後頭部を囲繞することができればよく、その形状や大きさは適宜、選択することができるが、外部からの衝撃から装着者２０の頭部２１を保護できるだけのクッション性、衝撃吸収性を備えていることが好ましく、独立気泡の発泡ウレタン、ＥＶＡ樹脂発泡体等を内装したものが好適に用いられる。独立気泡を有する材質を用いていることにより、頭部保護部１１に水浮揚性を与えることができるので、漂流中に装着者２０の頭部２１が水中に沈むことを防止して呼吸を確保することが可能で、救命の信頼性に優れる。
【００２３】
救命具１の装着者２０は遭難中や漂流中に救助を受ける際は、図３に示すように、吊上げロープ３３，３５の両端に配設された連結フック３４ａ，３４ｂ，３６ａ，３６ｂを上部連結具６ａ，６ｂ、下部連結具１６ａ，１６ｂにそれぞれ連結することができる。
救助用のロープ３１で装着者２０の身体を牽引したり、吊上げたりする際に、図４に示すように、装着者２０の背中から臀部及び太腿部にかけてジャケット本体２と下半身保持部７で下方から支持することができ、左右の手２４で吊上げロープ３５を掴むことができるので、安定した姿勢で救助を受けることができ、姿勢の維持やバランスの調整も容易で、恐さを感じ難く、装着者２０の負担を軽減することができる。特に、ヘリコプター等で装着者２０を吊上げる場合、座位姿勢の装着者２０を機体内へ足から収容することができるので、収容作業が容易で救助者の負担も大幅に軽減できる。
尚、下部連結具１６ａ，１６ｂは高さ調整具１７ａ，１７ｂで位置決めされており、吊上げロープ３５及び連結フック３６ａ，３６ｂを介してロープ３１で引張られても移動することはない。また、装着者２０の体格等に応じて、高さ調整具１７ａ，１７ｂと共に下部連結具１６ａ，１６ｂを移動させることができるが、多数の下部連結具を取付け、使い分けてもよい。
【００２４】
また、救命具１の装着者２０は、救助を待つ間、上部連結具６ａ，６ｂや下部連結具１６ａ，１６ｂに安全帯等を連結し、身体を周囲の柵、手摺、柱等の固定構造物に繋ぎ止めておくことができるが、必要に応じて、ジャケット本体２の所望の位置に安全帯等を連結するための連結具を取付けてもよい。特に、上部連結具６ａ，６ｂの少なくともいずれか一方に連結した安全帯で装着者２０の身体を固定構造物に繋ぎ止めた場合、装着者２０の頭部が常に上流側となり、装着者２０が溺れることを効果的に防ぐことができる。
反射材１３の数や配置は、適宜、選択することができる。また、蛍光テープや蓄光テープ等を適宜、組合せて使用してもよい。これらを取付けることにより、海上での捜索や夜間の捜索、救助活動に役立ち、機能性に優れる。また、装着者２０が自分の位置を知らせるための笛や点滅ライト、発煙筒等を取付けてもよい。
尚、救助用のロープ３１は上部連結具６ａ，６ｂ及び下部連結具１６ａ，１６ｂに連結することができればよく、その連結方法は本実施の形態に限定されるものではなく、吊上げフック３２，吊上げ環３２ａ，吊上げロープ３３，３５、連結フック３４ａ，３４ｂ，３６ａ，３６ｂ等の構成や形状等は連結方法に応じて、適宜、選択、変更することができる。ヘリコプター等に連結フック３４ａ，３４ｂ，３６ａ，３６ｂ等を備えた吊上げロープ３３，３５が装備されていない場合、左右の上部連結具６ａ，６ｂと下部連結具１６ａ，１６ｂの間にそれぞれ安全帯を連結する等して吊上げに利用することもできる。
【００２５】
実施の形態１の救命具は、以下の作用を有する。
（１）浮力体が内装され装着者の上半身に装着されるジャケット本体と、ジャケット本体の下部に連設され装着者の下半身に装着される下半身保持部と、ジャケット本体の胸部乃至肩部に配設固定され救助用のロープと着脱自在に連結される左右２箇所の上部連結具と、下半身保持部の前面側に配設固定され救助用のロープと着脱自在に連結される左右２箇所の下部連結具を備えていることにより、上部連結具及び下部連結具を介して救助用のロープ等をジャケット本体及び下半身保持部に簡単かつ確実に連結することができ、救助の作業性、迅速性、省力性に優れると共に、ヘリコプター等で装着者を吊上げて救助する際に、装着者の身体を４箇所で支持することができるので、装着者の姿勢を安定させることができ、ヘリコプターの機体内への装着者の収容が容易になり、安全性、装着性、使用性に優れ、装着者及び救助者の負担を大幅に軽減することができる。
（２）装着者の下半身に装着される下半身保持部が、ジャケット本体の下部に連設されているので、上部連結具や下部連結具に救助用のロープ等を連結して装着者の身体を牽引したり、吊上げたりした際に、ジャケット本体や下半身保持部が装着者の身体から脱げることがなく、確実に装着者を救助することができ、安全性、救命の信頼性に優れる。
（３）ジャケット本体の胸部乃至肩部に配設固定され救助用のロープと着脱自在に連結される左右２箇所の上部連結具を有することにより、上部連結具を介して救助用のロープ等をジャケット本体に簡単かつ確実に連結することができると共に、陸上や船上等から装着者を引上げたり、ヘリコプター等で装着者を吊上げたりする際に、水上で胸部が上向きになるように装着者の姿勢を保持することができ、身体の傾きが発生し難く、姿勢を安定化させて装着者の顔が水に漬かることを防止でき、装着者への負担が少なく、救命の信頼性、安全性に優れる。
（４）ジャケット本体の胸部乃至肩部に配設固定され救助用のロープと着脱自在に連結される左右２箇所の上部連結具と、下半身保持部の前面側に配設固定され救助用のロープと着脱自在に連結される左右２箇所の下部連結具を有するので、上部連結具及び下部連結具に救助用のロープ等を連結して装着者の身体を吊上げた時に、装着者の背中や臀部をジャケット本体及び下半身保持部で確実に支持することができ、装着者への負担が少なく、下部連結具に連結された救助用のロープ等を装着者が手で掴むことができ、吊上げ時に安心感があり、救助作業の効率性、安全性に優れる。
（５）上部連結具がジャケット本体の胸部乃至肩部に配設固定され、下部連結具が下半身保持部の前面側に配設固定されることにより、自衛隊員等の救助者が装着作業を手伝ったり、使用方法を説明したりしなくても、装着者が一人で簡単に救助用のロープ等を連結することができるので、救助者は救助用のロープ等を投げ込んだり、上空から垂らしたりするだけで、救助活動を行うことができ、少ない人員で多数の遭難者を救助することが可能となり、特にヘリコプター等で救助を行う場合には、救助者の人数を減らして、一度に多くの遭難者を救助することができ、救助作業の省力性、効率性、迅速性に優れる。
（６）ジャケット本体の胸部乃至肩部に配設固定され救助用のロープと着脱自在に連結される上部連結具や下半身保持部の前面側に配設固定され救助用のロープと着脱自在に連結される下部連結具を備えているので、必要に応じて安全帯等を連結することができ、レジャー中に安全帯のフックを周囲の柵、手摺、柱等に繋ぎ止めておくことにより、川や海等への落下を防ぐことができるだけでなく、水害時に逃げ遅れた場合などに浸水によって身体が流されないようにフックを周囲の電柱や大木等に繋ぎ止めて救助を待つことができ、救助の確実性、安全性に優れる。
（７）上部連結具がジャケット本体の胸部乃至肩部に配設固定されているので、上部連結具に連結した安全帯のフックを周囲の構造物に繋ぎ止めていた装着者が、川や海等へ落下したり、水に流されたりして安全帯の紐体が引張られた場合でも、装着者の身体を圧迫することがなく、救助を待つ間の装着者の負担を軽減することができ、安全性、使用性に優れる。
（８）下半身保持部の下端側に延設された左右２箇所の延設部と、延設部の各々の下端部に配設された差込具と、ジャケット本体の前面側の左右２箇所に配設され差込具が着脱自在に連結される差込口を備えているので、延設部を装着者の身体の前面側に折返し、各々の差込具を差込口に差込んで連結することができ、ジャケット本体と延設部で装着者の上半身を前後から挟み込むように保持して、下半身保持部で装着者の下半身を支持することができ、ジャケット本体や下半身保持部が装着者の身体から脱げることを確実に防止することができ、安全性、救助の確実性に優れる。
（９）延設部の下端部に配設された差込具をジャケット本体の前面側の差込口に差込んで連結することにより、下半身保持部で装着者の下半身を確実に支持できると共に、左右の上部連結具及び下部連結具の４点で装着者を安全に吊上げることができるので、装着者の体重が重い場合や装着者が妊娠している場合に、負担を大幅に軽減することができ、安全性、機能性に優れる。
（１０）上部連結具と差込具を連結しジャケット本体及び延設部に縫着された補強帯を備えることにより、補強帯でジャケット本体及び延設部を補強することができ、耐久性、長寿命性に優れる。
（１１）上部連結具と差込具が補強帯で連結されていることにより、補強帯をジャケット本体及び延設部に縫着するだけで上部連結具と差込具を容易に取付けることができ、量産性に優れる。
（１２）下部連結具が、延設部の高さ方向に位置調整自在に配設されることにより、装着者の体型等に応じて下部連結具の位置を調整することができ、上部連結具及び下部連結具に救助用のロープ等を連結して装着者の身体を吊上げる際に、装着者を楽な姿勢で吊上げ、装着者の負担を軽減することができ、汎用性、使用性に優れる。
（１３）下半身保持部が、装着者の脚が挿通される脚部挿通部を有することにより、上部連結具及び下部連結具に連結された救助用のロープ等で装着者の身体を牽引したり、吊上げたりした際に、ジャケット本体及び下半身保持部が装着者の身体から脱げることを確実に防止することができ、安全性、救助の確実性、信頼性に優れる。
（１４）ジャケット本体の襟部に沿って上方に延設され装着者の両側頭部及び後頭部を囲繞する頭部保護部を有することにより、装着者が陸地や船上等から海や川等に落下した際や漂流中に周囲の障害物や漂流物と接触したり、衝突したりした際に受ける衝撃から装着者の頭部を保護することができ、安全性、救命の信頼性に優れる。
（１５）装着者の両側頭部及び後頭部を囲繞する頭部保護部がジャケット本体の襟部に沿って上方に延設されているので、避難時や遭難時に装着者の視界を遮ることがなく、装着者が漂流物により意識を失っても水面に頭部が沈むことなく呼吸の確保が可能で安全に行動することができ、使用性に優れる。
【産業上の利用可能性】
【００２６】
本発明は、救助用に投げ入れられたロープ等を簡単かつ確実に連結することができ、手早く短時間で装着者の救助を行うことが可能で、救助作業の迅速性、効率性に優れ、装着者を座位姿勢でへリコプター等で吊上げることができ、装着者の姿勢の安定性に優れ、装着者が吊上げロープを手で掴むことができ、恐さを感じ難く、装着者を足からでも機体内に収容することが可能で、装着者及び救助者の負担を大幅に軽減することができ、装着性、安全性、救助の作業性、省力性に優れると共に、安全帯等を利用してレジャー中の川や海等への落下を防ぐことや水害時に装着者（被災者）の身体が流されないように周囲の固定構造物に繋ぎ止めることもでき、頭部に働く浮力により頭部を確実に水面から突出させて装着者が水を飲むことを防止し、頭部を上流側に向けて安定した姿勢で救助を待つことができ、漂流物による頭部への衝撃を軽減することができる安全性、使用性に優れた救命具の提供を行うことができ、各家庭や施設或いは消防庁、自衛隊等に備えることにより、水害時の救命作業に大きく貢献することができる。
【符号の説明】
【００２７】
１  救命具
２  ジャケット本体
３ａ  左前身頃
３ｂ  右前身頃
４  後身頃
５  止着部材
６ａ，６ｂ  上部連結具
７  下半身保持部
７ａ，７ｂ  脚部挿通部
８ａ，８ｂ  延設部
９ａ，９ｂ  差込具
１０ａ，１０ｂ  差込口
１１  頭部保護部
１２  固定紐
１３  反射材
１４ａ，１４ｂ  補強帯
１５ａ，１５ｂ  折返し部
１６ａ，１６ｂ  下部連結具
１７ａ，１７ｂ  高さ調整具
２０  装着者
２１  頭部
２２ａ，２２ｂ  腕
２３ａ，２３ｂ  脚
２４  手
３１  ロープ
３２  吊上げフック
３２ａ  吊上げ環
３３，３５  吊上げロープ
３４ａ，３４ｂ，３６ａ，３６ｂ  連結フック
【要約】      （修正有）【課題】救助作業の迅速性、効率性に優れ、装着者をへリコプター等で吊上げ、収容する際の装着者の姿勢の安定性、救助の作業性に優れ、装着者が手で姿勢を修正でき恐さを感じ難く、特に子供や妊婦等の女性の装着者及び救助者の負担を大幅に軽減でき、装着性、安全性、省力性に優れると共に、レジャー中の川や海等への落下を防ぐことや水害時に装着者（被災者）の身体が流されないように周囲の固定構造物に繋ぎ止めることもできる安全性、使用性に優れた救命具の提供する。【解決手段】浮力体が内装され装着者の上半身に装着されるジャケット本体２と、ジャケット本体の下部に連設され装着者の下半身に装着される下半身保持部７と、ジャケット本体の胸部乃至肩部に配設固定された左右２箇所の上部連結具６ａと、下半身保持部の前面側に配設固定された左右２箇所の下部連結具１６ａと、を備える。【選択図】図４【図１】
0006026693.tif 000002
【図２】
0006026693.tif 000003
【図３】
0006026693.tif 000004
【図４】
0006026693.tif 000005